(57)【要約】【課題】冷却水または熱源水の循環回路を可変にし、効率よく冷却または加熱を行うことができ、季節に応じて効率のよい動作を行うことができる冷凍システムを提供する。【解決手段】ガスクーラ１２を備えた冷凍機４を構成する第１の冷凍サイクル回路１０と、冷却塔２１により冷却された冷却水によりガスクーラ１２において熱交換する第２の冷凍サイクル回路２０と、第２の冷凍サイクル回路２０の冷却水用配管２３から分岐する冷却水分岐配管４１の冷却水と熱交換する給湯用蒸発器３４を備えた給湯回路３０と、を備え、外気温に応じて、給湯用蒸発器３４に送られる冷却水を、ガスクーラ１２の上流側の冷却水または下流側の冷却水のいずれかに切り替えるコントローラ５０を備えている。【選択図】図１
2015218944.tif 000002
【特許請求の範囲】
【請求項１】
ガスクーラを備えた冷凍機を構成する第１の冷凍サイクル回路と、冷却塔により冷却された冷却水により前記ガスクーラにおいて熱交換する第２の冷凍サイクル回路と、前記第２の冷凍サイクル回路の冷却水用配管から分岐する冷却水分岐配管の冷却水と熱交換する給湯用蒸発器を備えた給湯回路と、を備え、
外気温に応じて、前記給湯用蒸発器に送られる冷却水を、前記ガスクーラの上流側の冷却水または下流側の冷却水のいずれかに切り替える制御手段を備えていることを特徴とする冷凍システム。
【請求項２】
前記制御手段は、外気温が高いときは、前記給湯用蒸発器に送られる冷却水を、前記ガスクーラの上流側の冷却水に切り替えることを特徴とする請求項１に記載の冷凍システム。
【請求項３】
前記制御手段は、外気温が低いときは、前記給湯用蒸発器に送られる冷却水を、前記ガスクーラの下流側の冷却水に切り替えることを特徴とする請求項１に記載の冷凍システム。
【請求項４】
前記冷却塔は、熱交換用の冷却塔ファンおよび散水用の散水ポンプを備えており、前記制御手段は、前記冷凍機の冷却負荷が小さいときは、前記冷却塔ファンおよび散水ポンプを停止するように制御することを特徴とする請求項１から請求項３のいずれか一項に記載の冷凍システム。
【請求項５】
前記冷却水用配管に、前記ガスクーラをバイパスするバイパス配管を設け、前記冷凍機の前記ガスクーラの圧力が低下しすぎる場合に、前記制御手段は、冷却水の一部が前記バイパス配管を通るように切り替えることを特徴とする請求項１から請求項４のいずれか一項に記載の冷凍システム。
【請求項６】
前記制御手段は、前記冷凍機の前記ガスクーラにおける放熱と、前記給湯用蒸発器における吸熱とのバランスがとれているときは、前記冷却塔を停止するように制御することを特徴とする請求項１に記載の冷凍システム。
【請求項７】
前記制御手段は、外気温の他、前記ガスクーラ入口の冷却水温度、前記ガスクーラの圧力を総合的に判断して冷却水の切り替えを行うことを特徴とする請求項１から請求項６のいずれか一項に記載の冷凍システム。
【請求項８】
前記制御手段は、前記冷却塔の散布用水が凍結するおそれがある場合は、前記冷却塔の散布用水の散布を停止するように制御することを特徴とする請求項１から請求項７のいずれか一項に記載の冷凍システム。
【発明の詳細な説明】
【技術分野】
【０００１】
本発明は、冷凍システムに係り、特に、複数の冷凍サイクルを組み合わせ、冷却水の循環回路を切り替えることにより、効率よく冷却または加熱を行うことができ、季節に応じて効率のよい動作を行うことを可能とした冷凍システムに関するものである。
【背景技術】
【０００２】
従来から、スーパーマーケットやコンビニエンスストアなどの店舗において、低温ショーケースなどを冷却するための冷凍機や、各所に湯を供給する給湯装置や、室内の空調を行う空気調和機など、冷凍サイクル回路を用いたシステムが多く用いられている。このようなシステムの冷凍サイクルは、一般に、冷媒を循環させ、外気などと熱交換することにより、冷却または加熱を行うものである。
【０００３】
このような冷凍サイクルにおいて、冷媒と冷却水とを熱交換させることにより、熱交換効率向上を図ることが行われている。このような技術としては、従来から、例えば、冷蔵倉庫において、ＮＨ３／ＣＯ２冷凍装置を構成する圧縮機と、水冷式凝縮器と、高圧受液器と、膨張弁と、ＣＯ２液化器とを順次冷媒配管で接続し、水冷式凝縮器に、冷却塔で冷却された冷却水を、冷却水ポンプにより供給するようにした技術が開示されている（例えば、特許文献１参照）。
【先行技術文献】
【特許文献】
【０００４】
【特許文献１】特開２０１２−１０２９４６号公報
【発明の概要】
【発明が解決しようとする課題】
【０００５】
しかしながら、前記特許文献１に記載の発明においては、冷凍装置を構成する水冷式凝縮器に冷却水を供給することで、冷媒との熱交換を行うものである。一方、例えば、給湯装置において、ガスクーラを用いて熱交換を行うことにより、温水を供給する技術も知られており、このような給湯用のガスクーラにおいては、空気により熱交換を行うことが一般的である。このように、熱交換を行う際に、装置によって冷却水または空気との熱交換を行うものであるが、冷却水または冷媒の循環回路を組み合わせて、効率よく、冷却または加熱を行うことのできる冷凍システムは、従来存在していなかった。また、冷媒などの循環回路を組み合わせて、大がかりな冷凍システムを構成すると、冷媒の循環配管が複雑になるとともに、製造コストも高くなってしまい、さらに、法定冷凍トン数が多くなってしまい、高圧ガス保安法の規制を受けることになってしまうという問題を有している。
【０００６】
一方、冷凍機においては、例えば、夏期など外気温が高い場合に、冷凍機における熱交換効率が低下するため、冷凍機における冷却効率が著しく低下してしまうという問題を有している。このことは、冷凍機の冷媒として二酸化炭素冷媒を用いた場合に、より顕著である。
【０００７】
本発明は前記した点に鑑みてなされたものであり、冷却水または熱源水の循環回路を可変にし、効率よく冷却または加熱を行うことができ、季節に応じて効率のよい動作を行うことができる冷凍システムを提供することを目的としている。
【課題を解決するための手段】
【０００８】
前記目的を達成するために、本発明に係る冷凍システムは、ガスクーラを備えた冷凍機を構成する第１の冷凍サイクル回路と、冷却塔により冷却された冷却水により前記ガスクーラにおいて熱交換する第２の冷凍サイクル回路と、前記第２の冷凍サイクル回路の冷却水用配管から分岐する冷却水分岐配管の冷却水と熱交換する給湯用蒸発器を備えた給湯回路と、を備え、外気温に応じて、前記給湯用蒸発器に送られる冷却水を、前記ガスクーラの上流側の冷却水または下流側の冷却水のいずれかに切り替える制御手段を備えていることを特徴とする。
【０００９】
本発明は、前記構成において、前記制御手段は、外気温が高いときは、前記給湯用蒸発器に送られる冷却水を、前記ガスクーラの上流側の冷却水に切り替えることを特徴とする。
【００１０】
本発明は、前記構成において、前記制御手段は、外気温が低いときは、前記給湯用蒸発器に送られる冷却水を、前記ガスクーラの下流側の冷却水に切り替えることを特徴とする。
【００１１】
本発明は、前記構成において、前記冷却塔は、熱交換用の冷却塔ファンおよび散水用の散水ポンプを備えており、前記制御手段は、前記冷凍機の冷却負荷が小さいときは、前記冷却塔ファンおよび散水ポンプを停止するように制御することを特徴とする。
【００１２】
本発明は、前記構成において、前記冷却水用配管に、前記ガスクーラをバイパスするバイパス配管を設け、前記冷凍機の前記ガスクーラの圧力が低下しすぎる場合に、前記制御手段は、冷却水が前記バイパス配管を通るように切り替えることを特徴とする。
【００１３】
本発明は、前記構成において、前記制御手段は、前記冷凍機の前記ガスクーラにおける放熱と、前記給湯用蒸発器における吸熱とのバランスがとれているときは、前記冷却塔を停止するように制御することを特徴とする。
【００１４】
本発明は、前記構成において、前記制御手段は、外気温の他、前記ガスクーラ入口の冷却水温度、前記ガスクーラの圧力を総合的に判断して冷却水の切り替えを行うことを特徴とする。
【００１５】
本発明は、前記構成において、前記制御手段は、前記冷却塔の散布用水が凍結するおそれがある場合は、前記冷却塔の散布用水の散布を停止するように制御することを特徴とする。
【発明の効果】
【００１６】
本発明によれば、制御手段により、外気温に応じて、給湯用蒸発器に送られる冷却水を、ガスクーラの上流側の冷却水または下流側の冷却水のいずれかに切り替えるようにしているので、冷凍機または給湯装置において、効率のよい冷却または加熱を行うことができる。また、冷却水の循環経路を変更することにより冷凍機または給湯装置の効率を高めるようにしているので、冷却水の循環配管のみを設置すればよく、法定冷凍トン数が増加することはないので、高圧ガス保安法の規制を受けることなく、大容量のシステムを組み合わせることができる。
【図面の簡単な説明】
【００１７】
【図１】本発明に係る冷凍システムの実施形態を示す外気温が高い場合における冷凍サイクル図である。
【図２】本発明に係る冷凍システムの実施形態を示す外気温が低い場合における冷凍サイクル図である。
【図３】本発明に係る冷凍システムの実施形態における消費電力を比較したグラフである。
【発明を実施するための形態】
【００１８】
以下、本発明の実施形態について図面を参照して説明する。
【００１９】
図１は、本発明に係る冷凍システムの一実施形態を示したものであり、本実施形態においては、冷凍システムは、例えば、スーパーマーケットやコンビニエンスストアなどの店舗における冷却設備と給湯設備の両者を備えた施設に設置される場合の例を示している。本実施形態の冷凍システムは、店舗内に設置される各ショーケース２を冷却する第１の冷凍サイクル回路１０と、この第１の冷凍サイクル回路１０の冷媒を冷却水により冷却する第２の冷凍サイクル回路２０と、この第２の冷凍サイクル回路２０からの冷却水を利用する給湯回路３０とを備えている。
【００２０】
第１の冷凍サイクル回路１０は、冷凍機４およびショーケース２のシステムを構成するものであり、冷凍用圧縮機１１、ガスクーラ１２、冷凍用膨張弁１３および冷凍用蒸発器１４を、順次、冷凍用冷媒配管１５で接続して構成されている。本実施形態においては、冷凍用圧縮機１１、ガスクーラ１２が冷凍機４に配置され、冷凍用膨張弁１３および冷凍用蒸発器１４がショーケース２に配置されている。
【００２１】
また、ガスクーラ１２には、第１の冷凍サイクル回路１０の冷凍用冷媒配管１５を流れる冷媒と、第２の冷凍サイクル回路２０の冷却水用配管を流れる冷却水との流れる方向が対向するように導通されており、冷凍用冷媒配管１５を流れる冷媒と冷却水用配管を流れる冷却水とが互いに熱交換可能に構成されている。そして、冷凍用圧縮機１１により圧縮された高温高圧冷媒は、ガスクーラ１２により、第２の冷凍サイクル回路２０の冷却水と熱交換して冷却され、冷凍用膨張弁１３を介して液冷媒となり、ショーケース２の冷凍用蒸発器１４において庫内空気と熱交換することにより、ショーケース２の冷却を行うように構成されている。
【００２２】
ここで、本実施形態における第１の冷凍サイクル回路１０においては、冷媒として二酸化炭素が用いられている。二酸化炭素冷媒を用いた冷凍サイクルでは、高圧側が冷媒の臨界圧力を超える遷臨界サイクルとなるため、ガスクーラ１２の冷凍用冷媒配管１５を流れる冷媒圧力は臨界圧力を超えている。ガスクーラ１２の冷凍用冷媒配管１５を流れる冷媒は、冷却水用配管２３を流れる水に熱を与えて冷却されるに従ってその温度が低下する。
【００２３】
次に、第２の冷凍サイクル回路２０は、第１の冷凍サイクル回路１０を構成するガスクーラ１２、冷却塔２１および冷却水ポンプ２２を、順次、冷却水用配管２３で接続して構成されている。冷却塔２１は、室外に設置され内部に熱交換回路２４が設置された冷却塔本体２５と、この冷却塔本体２５に外気を導入する冷却塔ファン２６と、冷却塔２１の下部の水槽２７に貯留される散布用水を冷却塔２１の上部から散布させるための散水ポンプ２８と、を備えている。そして、散水ポンプ２８を動作させることにより、冷却塔本体２５の上部から散布用水を散布するとともに、散布した散布用水と、冷却塔ファン２６によって導入した外気との間で熱交換することにより散布用水を冷却するものである。この冷却された散布用水により熱交換回路２４を流れる冷却水と熱交換することにより、冷却水の冷却を行うように構成されている。このようにして冷却された冷却水は、冷却水ポンプ２２によりガスクーラ１２に送られ、ガスクーラ１２により冷凍機４の冷凍用冷媒配管１５を流れる冷媒と熱交換を行うものである。
【００２４】
また、冷却水用配管２３の冷却水ポンプ２２とガスクーラ１２との間には、第１三方弁４５および第２三方弁４６がそれぞれ接続されており、冷却水用配管２３のガスクーラ１２と冷却塔２１との間には、第３三方弁４７が接続されている。また、冷却水用配管２３の第２三方弁４６には、ガスクーラ１２をバイパスしてガスクーラ１２の出口側の冷却水用配管２３に接続されるバイパス配管２９が接続されている。
【００２５】
次に、給湯回路３０は、ヒートポンプ式の給湯装置６を構成するものであり、給湯用圧縮機３１、給湯用ガスクーラ３２、給湯用膨張弁３３、給湯用蒸発器３４とを、順次、給湯用冷媒配管３５で接続して構成されている。給湯装置６は、貯湯タンク３６を備えており、貯湯タンク３６の下部に接続される湯用配管３７は、給湯用ガスクーラ３２を介して貯湯タンク３６の上部に接続されるように構成されている。また、給湯用ガスクーラ３２の上流側の湯用配管３７には、給湯ポンプ３８が設けられており、貯湯タンク３６の下部には水道配管から水を給水するため給水配管３９が接続されるとともに、上部には内部の湯を所定の給湯蛇口（図示せず）などに供給する給湯配管４０が接続されている。
【００２６】
また、給湯用ガスクーラ３２には、給湯回路３０の給湯用冷媒配管３５を流れる冷媒と、貯湯タンク３６から湯用配管３７を流れる湯との流れる方向が対向するように導通されており、給湯用冷媒配管３５を流れる冷媒と湯用配管３７を流れる湯とが互いに熱交換可能に構成されている。
【００２７】
また、給湯用蒸発器３４には、冷却水分岐配管４１が接続されており、冷却水分岐配管４１は、第１三方弁４５から分岐して給湯用蒸発器３４の入口側に接続される配管と、給湯用蒸発器３４の出口側から冷却塔２１の下流側の冷却水用配管２３に設けられた第２三方弁４６の上流に接続される配管と、ガスクーラ１２の下流側から分岐して給湯用蒸発器３４の入口側に接続される配管と、給湯用蒸発器３４の出口側から第３三方弁４７に接続される配管と、から構成されている。給湯用蒸発器３４の入口側に接続される冷却水分岐配管４１には、それぞれ第１開閉弁４８および第２開閉弁４９がそれぞれ接続されている。そして、給湯用蒸発器３４においては、給湯回路３０の給湯用冷媒配管３５を流れる冷媒と、冷却水分岐配管４１を流れる冷却水とが互いに熱交換可能に構成されている。
【００２８】
さらに、本実施形態においては、各三方弁４５，４６，４７や各開閉弁４８，４９の切換制御や、冷却水ポンプ２２、散水ポンプ２８、冷却塔ファン２６の駆動制御を行うための制御手段としてのコントローラ５０が設けられており、このコントローラ５０は、外気温センサ５１、冷凍機４のガスクーラ１２の圧力を検出する圧力センサ５２、ガスクーラ１２に流入する冷却水の温度を検出する冷却水温度センサ５３などの検出値に基づいて、各種制御を行うように構成されている。
【００２９】
ここで、本実施形態においては、給湯用蒸発器３４において、第２の冷凍サイクル回路２０の冷却水を利用する構成となっている。具体的には、例えば、夏期など外気温センサ５１により外気温（湿球温度または乾燥温度、以下、単に外気温という。）が高いことを検出した場合は、図１に示すように、コントローラ５０は、第１三方弁４５を冷却水用配管２３から冷却水分岐配管４１の方向に、第２三方弁４６を冷却水用配管２３の直通方向に、および第３三方弁４７を冷却水用配管２３の直通方向にそれぞれ切り替え制御するとともに、第１開閉弁４８を開、第２開閉弁４９を閉に制御するように構成されている。このように制御することにより、冷却塔２１から送られる冷却水が、冷却水分岐配管４１を介して給湯用蒸発器３４に送られ、給湯用蒸発器３４において冷媒と熱交換することにより冷却された後、ガスクーラ１２に送られることになる。
【００３０】
また、例えば、冬期など外気温センサ５１により外気温が低いことを検出した場合は、図２に示すように、コントローラ５０は、第１三方弁４５を冷却水用配管２３の直通方向に、第２三方弁４６を冷却水用配管２３の直通方向に、および第３三方弁４７を冷却水分岐配管４１から冷却水用配管２３に流れるようにそれぞれ切り替え制御するとともに、第１開閉弁４８を閉、第２開閉弁４９を開に制御するように構成されている。このように制御することにより、冷却塔２１からガスクーラ１２に送られ、ガスクーラ１２における熱交換により温度の高い冷却水が冷却水分岐配管４１を介して給湯用蒸発器３４に送られ、給湯用蒸発器３４において冷媒と熱交換することになる。
【００３１】
なお、外気温センサ５１により外気温を検出して、コントローラ５０による制御を行う場合、春、秋など外気温が高くも低くもない場合には、例えば、ガスクーラ１２における冷却水温度センサ５３による冷却水温度や、圧力センサ５２によるガスクーラ１２の圧力、さらには、冷却塔２１の温度などを総合的に判断して制御するようにしてもよいし、夏期と冬期とで切り替えスイッチにより制御を切り替えるようにしてもよい。
【００３２】
さらに、コントローラ５０は、冷凍機４の冷却負荷が小さいときは、冷却塔ファン２６や散水ポンプ２８を停止するように制御するものである。また、コントローラ５０は、圧力センサ５２により、冷凍機４のガスクーラ１２の圧力が低下しすぎたことを検出した場合に、冷却水がバイパス配管２９を通るように第２三方弁４６を切り替えるように制御するものである。また、コントローラ５０は、冷凍機４のガスクーラ１２における放熱と、給湯用蒸発器３４における吸熱とのバランスがとれているときは、冷却塔２１の冷却塔ファン２６や散水ポンプ２８を停止するように制御してもよい。
【００３３】
次に、本実施形態における冷凍システムの動作について説明する。
まず、夏期など外気温が高い場合の動作について説明する。
この場合は、図１に示すように、コントローラ５０により、第１三方弁４５を冷却水用配管２３から冷却水分岐配管４１の方向に、第２三方弁４６を冷却水用配管２３の直通方向に、および第３三方弁４７を冷却水用配管２３の直通方向にそれぞれ切り替え制御するとともに、第１開閉弁４８を開、第２開閉弁４９を閉に制御する。一方、コントローラ５０により、冷却塔ファン２６、散水ポンプ２８および冷却水ポンプ２２を動作させる。
【００３４】
これにより、冷却塔２１で冷却された冷却水が、冷却水ポンプ２２により、冷却水分岐配管４１を介して給湯用蒸発器３４に送られ、給湯用蒸発器３４において冷媒と熱交換する。給湯回路３０においては、冷却水と熱交換した冷媒は、圧縮機に送られ、給湯用ガスクーラ３２により貯湯タンク３６からの湯と熱交換することにより、高温の湯なって貯湯タンク３６に戻される。
【００３５】
一方、給湯用蒸発器３４において熱交換されさらに冷却された冷却水は、冷却水分岐配管４１を介してガスクーラ１２に送られ、ガスクーラ１２において冷凍用冷媒配管１５を流れる冷媒と熱交換する。この場合に、本実施形態においては、給湯用蒸発器３４において熱交換して冷却塔２１の出口よりも温度の下がった冷却水と、ガスクーラ１２において熱交換するものであるため、ガスクーラ１２における熱交換を効率よく行うことができ、冷凍用冷媒配管１５を流れる冷媒をより冷却することが可能となる。その結果、ショーケース２の冷凍用蒸発器１４において、より庫内空気を冷却することが可能となる。そして、ガスクーラ１２で熱交換した後の冷却水は冷却塔２１に戻される。
【００３６】
次に、冬期など外気温が低い場合の動作について説明する。
この場合は、図２に示すように、コントローラ５０により、第１三方弁４５を冷却水用配管２３の直通方向に、第２三方弁４６を冷却水用配管２３の直通方向に、および第３三方弁４７を冷却水分岐配管４１から冷却水用配管２３に流れるようにそれぞれ切り替え制御するとともに、第１開閉弁４８を閉、第２開閉弁４９を開に制御する。そして、コントローラ５０により、冷却塔ファン２６、散水ポンプ２８および冷却水ポンプ２２も動作させる。
【００３７】
これにより、冷却塔２１で冷却された冷却水が、冷却水ポンプ２２により、冷却水用配管２３を介してガスクーラ１２に送られ、ガスクーラ１２において冷凍用冷媒配管１５を流れる冷媒と熱交換する。この場合に、外気温が低い場合には、ガスクーラ１２における負荷が少ないことから、冷凍用冷媒配管１５を流れる冷媒を十分に冷却することが可能である。
【００３８】
一方、ガスクーラ１２において熱交換した冷却水は、冷却水分岐配管４１を介して給湯用蒸発器３４に送られ、給湯用蒸発器３４において冷媒と熱交換する。この場合に、本実施形態においては、ガスクーラ１２から送られる冷却水は、熱交換により温められていることから、給湯用蒸発器３４により熱交換する際に、給湯用冷媒配管３５を流れる冷媒を効率よくガス化させることが可能となる。その後、給湯用蒸発器３４により熱交換された冷却水は、冷却水分岐配管４１を介して冷却塔２１に戻される。
【００３９】
また、本実施形態においては、コントローラ５０により、冬期など外気温が低い場合に、冷凍機４の冷却負荷が小さいときや、冷凍機４のガスクーラ１２における放熱と、給湯用蒸発器３４における吸熱とのバランスがとれているときは、冷却塔ファン２６および散水ポンプ２８を停止するように制御する。このように制御することにより、冷凍機４の冷却負荷が小さい場合に、冷却塔２１における冷却水の温度が下がりすぎることを防止することが可能となる。しかも、冷却塔ファン２６および散水ポンプ２８を停止することにより、運転コストも低減することができる。また、例えば、給湯用熱交換器における放熱と、冷却塔２１の内部の冷却水用配管２３における放熱により、冷凍機４および給湯装置６の動作を十分に行うことができる場合に、コントローラ５０により、冷却塔ファン２６および散水ポンプ２８を停止するように制御してもよい。
【００４０】
また、コントローラ５０により、ガスクーラ１２の圧力センサ５２により、冷凍機４のガスクーラ１２の圧力が低下しすぎる場合には、冷却水がバイパス配管２９を通るように第２三方弁４６を切り替えるように制御してもよい。このように制御することにより、ガスクーラ１２における冷却水と冷媒との熱交換効率を低下させることができ、ガスクーラ１２の圧力の低下を防止することができるものである。
【００４１】
さらに、冷却塔２１における散布用水が凍結するおそれがある場合は、コントローラ５０により、散水ポンプ２８を停止するように制御して、冷却塔２１の散布用水の散布を停止するようにしてもよい。このように制御することにより、密閉式冷却塔２１を乾式のヒーティングタワーとして利用することが可能となり、冷却水を給湯用蒸発器３４の低温熱源として利用することができる。
【００４２】
以上述べたように、本実施形態においては、外気温が高い場合は、冷却塔２１からの冷却水を給湯用蒸発器３４に送り、給湯用蒸発器３４において熱交換して冷却塔２１の出口に比べて冷却された冷却水と、ガスクーラ１２において熱交換するようにしているので、ガスクーラ１２における熱交換を効率よく行うことができ、冷凍用冷媒配管１５を流れる冷媒をより冷却することができ、その結果、ショーケース２の冷凍用蒸発器１４において、より庫内空気を冷却することが可能となる。また、外気温が低い場合は、ガスクーラ１２における熱交換により温められ冷却水を給湯用蒸発器３４に送るようにしているので、給湯用蒸発器３４により熱交換する際に、給湯用冷媒配管３５を流れる冷媒を効率よくガス化させることができる。このように外気温に応じて、冷却水の循環経路を切り替えることにより、冷凍機４または給湯装置６において、効率のよい冷却または加熱を行うことができる。
【００４３】
図３は、冷凍機４および給湯装置６における、月ごとの消費電力を測定し、ピーク時（８月）を１とした結果を示したものであり、この結果によれば、５月から１０月にかけて、冷凍機４および給湯装置６の消費電力が著しく低下し、効率が高まっていることがわかる。
【００４４】
また、本実施形態においては、冷凍機４と給湯装置６はそれぞれ独立して運転可能な状態で、冷却水の循環経路を変更することにより冷凍機４または給湯装置６の効率を高めるようにしているので、それぞれの法定冷凍トン数が増加することはないので、高圧ガス保安法の規制を受けることなく、大容量のシステムを組み合わせることができる。
【００４５】
なお、本発明は前記実施形態に限定されるものではなく、本発明の趣旨に基づいて種々の変形が可能である。
【符号の説明】
【００４６】
２  ショーケース
４  冷凍機
６  給湯装置
１０  第１の冷凍サイクル回路
１１  冷凍用圧縮機
１２  ガスクーラ
１３  冷凍用膨張弁
１４  冷凍用蒸発器
１５  冷凍用冷媒配管
２０  第２の冷凍サイクル回路
２１  冷却塔
２２  冷却水ポンプ
２３  冷却水用配管
２４  熱交換回路
２５  冷却塔本体
２６  冷却塔ファン
２７  水槽
２８  散水ポンプ
２９  バイパス配管
３０  給湯回路
３１  給湯用圧縮機
３２  給湯用ガスクーラ
３３  給湯用膨張弁
３４  給湯用蒸発器
３５  給湯用冷媒配管
３６  貯湯タンク
３７  湯用配管
３８  給湯ポンプ
３９  給水配管
４０  給湯配管
４１  冷却水分岐配管
４５  第１三方弁
４６  第２三方弁
４７  第３三方弁
４８  第１開閉弁
４９  第２開閉弁
５０  コントローラ
５１  外気温センサ
５２  圧力センサ
５３  冷却水温度センサ
【図１】
2015218944.tif 000003
【図２】
2015218944.tif 000004
【図３】
2015218944.tif 000005